(57)【要約】【課題】ユーザーの負荷を増やすことなくサンプルばらつきや使用環境に因らずに安価で高い受信感度を実現させる。【解決手段】受信機は、入力信号の強度に応じたＲＳＳＩ値を測定するＲＳＳＩ測定部と、前記ＲＳＳＩ測定部に前記ＲＳＳＩ値を間欠的に測定させるポーリング制御部と、連続して測定された２回分以上の前記ＲＳＳＩ値を格納する格納部と、前記格納部に格納されたＲＳＳＩ値のうち、前回以前に測定された前記ＲＳＳＩ値に予め定められた値を足して受信の有無の判定に用いる判定用閾値を設定する設定部と、前記ＲＳＳＩ値と判定用閾値とを比較して受信信号の有無を判定する比較部と、を備える。【選択図】図１
2015012381.tif 000002
【特許請求の範囲】
【請求項１】
入力信号の強度に応じたＲＳＳＩ値を測定するＲＳＳＩ測定部と、
前記ＲＳＳＩ測定部に前記ＲＳＳＩ値を間欠的に測定させるポーリング制御部と、
測定された２回分以上の前記ＲＳＳＩ値を格納する格納部と、
前記格納部に格納されたＲＳＳＩ値のうち、前回以前に測定された前記ＲＳＳＩ値に予め定められた加算値を加算して受信の有無の判定に用いる判定用閾値を設定する設定部と、
前記ＲＳＳＩ値と前記判定用閾値とを比較して受信信号の有無を判定する比較部と、
を備える受信機。
【請求項２】
前回以前の前記ＲＳＳＩ値が前記格納部に格納されていない場合、前記設定部は、今回測定した前記ＲＳＳＩ値に基づいて前記判定用閾値を設定する請求項１に記載の受信機。
【請求項３】
デジタル変調された前記受信信号とローカル信号とを掛け合わせることによってＤＣ近傍またはＩＦ信号にダウンコンバートされた前記受信信号をアナログ−デジタル変換するＡＤ変換器と、
前記アナログ−デジタル変換した前記受信信号をデジタル信号処理するデータ復調部と、
を更に備える請求項１または２に記載の受信機。
【請求項４】
入力信号の強度に応じたＲＳＳＩ値を間欠的に測定して、
測定された２回分以上の前記ＲＳＳＩ値を格納して、
格納された前記ＲＳＳＩ値のうち、前回以前に測定された前記ＲＳＳＩ値に予め定められた値を足して受信の有無の判定に用いる判定用閾値を設定して、
前記ＲＳＳＩ値と判定用閾値とを比較して受信信号の有無を判定する比較する
受信方法。
【発明の詳細な説明】
【技術分野】
【０００１】
本発明は、受信機、及び、受信方法に関し、特に、バースト的に送られてくる変調波を間欠動作で待ち受けする必要があるアプリケーションに使用される、デジタル変調方式による通信方式の受信機、及び、受信方法に関する。
【背景技術】
【０００２】
キーレスエントリーシステムの受信機のように受信信号が入力するタイミングが予測できないシステムにおいては、消費電力を抑制させることを目的として、受信機を一定間隔で間欠動作させる。そして、各々の受信動作のタイミングでＲＳＳＩ（受信信号強度）測定を実施し、その値があらかじめ設定したＲＳＳＩ値を超えた場合のみ信号を受信したと判断し復調動作を開始させる。この時、最小の受信感度を得るには、あらかじめ設定するＲＳＳＩ設定値をノイズに反応するレベル付近まで下げることが望ましい。
【０００３】
ただし、この時、プロセスバラつきや温度依存によって受信回路のゲインが変動してしまうので、同じ入力レベルの信号を受信してもサンプル及び使用環境によってＲＳＳＩ測定値が大きく変動してしまう。プロセスバラつきや温度特性を考慮して、あらかじめ設定するＲＳＳＩ設定値を大きくすると受信できるはずのレベルの信号が入力してもＲＳＳＩ設定値を超えないため復調動作を開始せず、受信感度特性を大きく劣化させてしまう問題がある。これを防ぐ手段として、アナログ回路部のゲインの温度変化を補正する方法がある（特許文献１参照）。
［特許文献１］  特開２０１２−１０９９０４号公報
【発明の概要】
【発明が解決しようとする課題】
【０００４】
しかしながら、上記の方法では温度センサーが必要となるため回路規模の増大につながる。また、トリミングによって調節することでサンプルのバラつきを抑制させる方法があるがこれも回路規模が増すことになる。
本発明は上記課題を鑑み、受信機においてユーザーの負荷を増やすことなくサンプルばらつきや使用環境に因らずに安価で高い受信感度を実現させることを目的とする。
【課題を解決するための手段】
【０００５】
本発明の第１の態様においては、入力信号の強度に応じたＲＳＳＩ値を測定するＲＳＳＩ測定部と、前記ＲＳＳＩ測定部に前記ＲＳＳＩ値を間欠的に測定させるポーリング制御部と、測定された２回分以上の前記ＲＳＳＩ値を格納する格納部と、前記格納部に格納されたＲＳＳＩ値のうち、前回以前に測定された前記ＲＳＳＩ値に予め定められた加算値を加算して受信の有無の判定に用いる判定用閾値を設定する設定部と、前記ＲＳＳＩ値と前記判定用閾値とを比較して受信信号の有無を判定する比較部と、を備える受信機を提供する。
【０００６】
本発明の第２の態様においては、入力信号の強度に応じたＲＳＳＩ値を間欠的に測定して、測定された２回分以上の前記ＲＳＳＩ値を格納して、格納された前記ＲＳＳＩ値のうち、前回以前に測定された前記ＲＳＳＩ値に予め定められた値を足して受信の有無の判定に用いる判定用閾値を設定して、前記ＲＳＳＩ値と判定用閾値とを比較して受信信号の有無を判定する比較する受信方法を提供する。
【０００７】
なお、上記の発明の概要は、本発明の必要な特徴の全てを列挙したものではない。また、これらの特徴群のサブコンビネーションもまた、発明となりうる。
【図面の簡単な説明】
【０００８】
【図１】本実施形態による受信機１０の一例を示すブロック図である。
【図２】受信機１０による受信動作のフローチャートである。
【図３】受信機１０による受信動作のタイミングチャートである。
【図４】格納部を変更した受信機１１０の一例を示すブロック図である。
【図５】受信機１１０による受信動作のフローチャートである。
【図６】受信機１１０による受信動作のタイミングチャートである。
【発明を実施するための形態】
【０００９】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【００１０】
図１は、本実施形態による受信機１０の一例を示すブロック図である。本実施形態にかかる受信機１０は、一例として、デジタル変調された搬送波を、搬送波と周波数が同じであり、位相の直交する２つのローカル信号を掛け合わせることによってＤＣ近傍にダウンコンバートし、直交復調するダイレクトコンバージョン式を採る。受信機１０が使用されるアプリケーションとしては、例えば自動車のキーレスエントリーシステムの車載器側のように、受信信号をいつ受信するかわからない状態で待ち受けする場合を想定する。
【００１１】
図１に示すように、受信機１０は、アンテナ１２と、表面弾性波（Surface Acoustic Wave）フィルタ１４と、低雑音増幅器（Low Noise Amplifier）１６と、高周波増幅器（Radio Frequency Amplifier）１８と、局部発振器２０と、ミキサー２２、２４と、ローパスフィルタ２６、２８と、ＡＤ変換器３０、３２と、ＣＯＲＤＩＣ３４と、ＲＳＳＩ測定部３６と、格納部３７と、設定部４２と、比較部４４と、復号器４６と、ポーリング制御部４８とを備える。
【００１２】
アンテナ１２は、デジタル変調された受信信号を受信する。表面弾性波フィルタ１４は、アンテナ１２と接続されている。表面弾性波フィルタ１４は、アンテナ１２で受信された受信信号から予め定められた帯域信号を取り出すための帯域を制限した受信信号を出力する。
【００１３】
低雑音増幅器１６は、表面弾性波フィルタ１４と接続されている。低雑音増幅器１６は、表面弾性波フィルタ１４から入力された受信信号を、低ノイズで増幅して出力する。
【００１４】
高周波増幅器１８は、低雑音増幅器１６と接続されている。高周波増幅器１８は、低雑音増幅器１６から入力された受信信号を、増幅して出力する。
【００１５】
局部発振器２０は、ミキサー２２、２４と接続されている。局部発振器２０は、ミキサー２２、２４に位相が互いに９０°ずれたローカル信号を出力する。尚、実際には局部発振器２０はＶＣＯ（Voltage Controlled Oscillator：電圧制御型発振器）、チャージポンプ回路，周波数位相比較器，ループフィルタ等と合わせて周波数シンセサイザを構成している場合が多いが、ここではそれらをまとめて局部発振器２０としている。
【００１６】
ミキサー２２、２４は、一例として、直交復調器である。ミキサー２２、２４は、高周波増幅器１８、及び、局部発振器２０と接続されている。ミキサー２２は、高周波増幅器１８から入力される受信信号を、ＤＣ近傍のベースバンド周波数にダウンコンバートして出力する。更に、ミキサー２２、２４は、受信信号に局部発振器２０から入力されたローカル信号を掛け合わせることによって、位相が互いに９０°ずれたＩ信号及びＱ信号としてＤＣ近傍までダウンコンバートした受信信号を出力する。
【００１７】
ローパスフィルタ２６は、ミキサー２２に接続されている。ローパスフィルタ２６は、ミキサー２２から入力された受信信号（Ｉ信号）の低周波成分を遮断して、出力する。
【００１８】
ＡＤ変換器３０は、ローパスフィルタ２６と接続されている。ＡＤ変換器３０は、ローパスフィルタ２６から入力されたアナログの受信信号をアナログ−デジタル変換して出力する。
【００１９】
ローパスフィルタ２８及びＡＤ変換器３２は、それぞれローパスフィルタ２６及びＡＤ変換器３２と同様に受信信号（Ｑ信号）を処理して出力する。
【００２０】
ＣＯＲＤＩＣ（COordinate Rotation DIgital Computer）３４は、ＡＤ変換器３０、３２に接続されている。ＣＯＲＤＩＣ３４は、アナログ−デジタル変換されてＡＤ変換器３０、３２から入力されたデジタルの受信信号を、三角関数を用いたデジタル信号処理によって周波数と振幅とを変換することにより、データ復調された受信信号を出力する。ＣＯＲＤＩＣ３４は、データ復調部の一例である。
【００２１】
ＲＳＳＩ測定部３６は、ＣＯＲＤＩＣ３４と接続されている。ＲＳＳＩ測定部３６は、ＣＯＲＤＩＣ３４から入力された入力信号の強度に応じたＲＳＳＩ値ＶＲを測定して、出力する。尚、入力信号は、ＲＳＳＩ測定部３６に入力する信号であって、受信信号、及び、受信信号を受信していない状態でのＲＳＳＩ測定部３６に入力するノイズフロアの信号等を含む概念である。ＲＳＳＩ測定部３６は、受信信号の有無を判定するために、受信動作開始直後にＲＳＳＩ値ＶＲの測定動作を開始する。
【００２２】
格納部３７は、ＲＳＳＩ測定部３６が測定した２回分以上のＲＳＳＩ値ＶＲを格納する。格納部３７は、例えば、現在および前回のＲＳＳＩ値ＶＲを格納する。格納部３７は、第１レジスタ３８と、第２レジスタ４０とを有する。
【００２３】
第１レジスタ３８は、ＲＳＳＩ測定部３６に接続されている。第１レジスタ３８は、ＲＳＳＩ測定部３６によって測定されたＲＳＳＩ値ＶＲが入力されると、当該ＲＳＳＩ値ＶＲを格納する。
【００２４】
第２レジスタ４０は、第１レジスタ３８に接続されている。第２レジスタ４０は、第１レジスタ３８に格納されているＲＳＳＩ値ＶＲが入力されると、当該ＲＳＳＩ値ＶＲを格納する。
【００２５】
ここで、ＲＳＳＩ測定部３６がｎ回測定したＲＳＳＩ値ＶＲのうち、第１レジスタ３８はｎ回目のＲＳＳＩ値ＶＲｎを格納して、第２レジスタ４０はｎ−１回目のＲＳＳＩ値ＶＲｎ−１を格納する。但し、ＲＳＳＩ測定部３６の測定が初回の場合、即ち、ｎ＝１の場合であって、前回以前のＲＳＳＩ値が格納部３７に格納されていない場合、第１レジスタ３８及び第２レジスタ４０は、今回測定したＲＳＳＩ値ＶＲ、即ち、１回目のＲＳＳＩ値ＶＲ１を格納する。
【００２６】
設定部４２は、第２レジスタ４０と接続されている。設定部４２は、ＲＳＳＩ測定部３６によって測定されて、格納部３７に格納されているＲＳＳＩ値のうち、第２レジスタ４０に格納されている前回のＲＳＳＩ値ＶＲに予め定められた加算値を加算して、受信の有無の判定に用いる判定用閾値Ｔｈを設定する。尚、加算値は、一例として、２ｄＢに相当するレベルである。ここで、ＲＳＳＩ値の測定において、ＲＳＳＩ値を平均するポイント数が少ない場合、ノイズの影響で判定用閾値を超えてしまう場合があるので、当該加算値は、レジスタ等で調整可能とすることが好ましい。また、１回目のＲＳＳＩ値測定の場合、第２レジスタ４０は、今回測定した１回目のＲＳＳＩ値ＶＲ１を格納しているので、設定部４２は、今回測定したＲＳＳＩ値ＶＲ１に基づいて判定用閾値Ｔｈを設定する。
【００２７】
比較部４４は、第１レジスタ３８、及び、設定部４２と接続されている。比較部４４は、第１レジスタ３８から入力された現在、即ち、ｎ回目のＲＳＳＩ値ＶＲｎと、設定部４２から入力された判定用閾値Ｔｈとを比較して、受信信号の搬送波の受信の有無を判定する。具体的には、比較部４４は、ＲＳＳＩ値ＶＲｎが判定用閾値Ｔｈより大きい場合、送信側から送信されている受信信号の搬送波を受信していると判定し、復号指示を復号器４６へ出力する。一方、比較部４４は、ＲＳＳＩ値ＶＲｎが判定用閾値Ｔｈ未満の場合、送信側から送信されている受信信号の搬送波を受信していないと判定して、ポーリング制御部４８へ停止信号を出力するが、復号指示は出力しない。
【００２８】
復号器４６は、ＣＯＲＤＩＣ３４及び比較部４４と接続されている。復号器４６は、比較部４４から復号指示が入力されると、受信信号を復号して、出力する。
【００２９】
ポーリング制御部４８は、受信機１０の制御全般を司る。例えば、ポーリング制御部４８は、受信信号の有無をモニターするために受信機１０を間欠的に動作させる。ポーリング制御部４８は、受信動作を開始させて、ＲＳＳＩ測定部３６をオン／オフ制御することにより、一定の時間間隔で間欠的にＲＳＳＩ測定部３６にＲＳＳＩ値ＶＲを測定させる。ポーリング制御部４８は、比較部４４から停止信号を取得すると、各部の回路をオフにしてスリープ状態へと移行させる。これにより、ポーリング制御部４８は、低消費電力を実現している。ポーリング制御部４８は、一例として、各部の回路のバイアス源、または、電流源を制御することによって、当該回路のオン／オフを制御する。このように、回路全体のオンオフを制御することで、積算した時の消費電流を減らすことができる。
【００３０】
図２は、受信機１０による受信動作のフローチャートである。
【００３１】
図２に示すように、受信機１０の受信動作が開始すると、ポーリング制御部４８は、測定回数ｎをｎ＝１に初期設定する（Ｓ１０）。ポーリング制御部４８は、ｎ回目のＲＳＳＩ値ＶＲの測定動作を開始させる（Ｓ１２）。これにより、ＲＳＳＩ測定部３６は、自己に入力する入力信号のｎ回目のＲＳＳＩ値ＶＲを測定する（Ｓ１４）。
【００３２】
次に、ポーリング制御部４８は、測定回数ｎが１か否かを判定する（Ｓ１６）。ポーリング制御部４８は、ｎ＝１と判定した場合（Ｓ１６：Ｙｅｓ）、最初の測定においては、第１レジスタ３８にＲＳＳＩ値ＶＲが格納されていないので、今回測定した１回目のＲＳＳＩ値ＶＲｎを第１レジスタ３８及び第２レジスタ４０の両方に格納させる（Ｓ１８）。一方、ポーリング制御部４８は、ｎ＝１でないと判定すると（Ｓ１６：Ｎｏ）、第１レジスタ３８に格納されているｎ−１回目のＲＳＳＩ値ＶＲｎ−１を第２レジスタ４０に移動させて格納するとともに（Ｓ２０）、ＲＳＳＩ測定部３６が測定したｎ回目のＲＳＳＩ値ＶＲを第１レジスタ３８に格納する（Ｓ２２）。尚、ステップＳ２０及びＳ２２は、略同時に並行して処理される。
【００３３】
次に、設定部４２は、第２レジスタ４０に格納されているＲＳＳＩ値ＶＲに加算値を加算することによって、判定用閾値Ｔｈを設定して、比較部４４へ出力する（Ｓ２４）。
【００３４】
比較部４４は、第１レジスタ３８に格納されているＲＳＳＩ値ＶＲｎと、設定部４２によって設定された判定用閾値Ｔｈとを比較して、大小関係を判定する（Ｓ２６）。ここで、ｎ−１回目の測定では受信信号の搬送波は存在していないので、このとき測定されたＲＳＳＩ値ＶＲは受信信号の影響を受けず、受信信号が受信されていない状態でのＡＤ変換器３０、３２の出力、即ち、ノイズフロアの強度になっている。そして、設定部４２は、受信信号を受信していない状態でのＲＳＳＩ値ＶＲに加算値を加算したものを判定用閾値Ｔｈとすることで、感度を改善することができる。なお、予め定められた受信信号が受信されていない状態でも、想定外の妨害波を受信する場合は珍しくないが、これについてはフロントエンドの表面弾性波フィルタ１４、低雑音増幅器１６、高周波増幅器１８によって十分に抑圧されるように受信機１０を設計することが好ましい。
【００３５】
アンテナ１２が受信信号の搬送波を受信している場合、ＲＳＳＩ値は判定用閾値Ｔｈよりも大きくなる。従って、この場合、比較部４４は、ＲＳＳＩ値ＶＲｎが判定用閾値Ｔｈよりも大きいと判定して（Ｓ２６：Ｙｅｓ）、復号器４６に復号指示を出力する。これにより、復号器４６は、アンテナ１２によって受信されて、ＣＯＲＤＩＣ３４によって復調された受信信号を復号して出力する（Ｓ２８）。ＣＯＲＤＩＣ３４及び復号器４６は、ポーリング制御部４８による間欠的なＲＳＳＩ値ＶＲの測定動作に代えて、受信信号の末尾まで、受信信号の復調及び復号の処理を継続する。この後、受信信号の末尾まで復調及び復号した後、受信動作を再開する場合、ポーリング制御部４８は、ステップＳ１０から再開する。
【００３６】
一方、アンテナ１２が受信信号の搬送波を受信していない場合、比較部４４は、ＲＳＳＩ値ＶＲｎが判定用閾値Ｔｈ未満と判定して（Ｓ２６：Ｎｏ）、ポーリング制御部４８へ停止信号を出力する。これにより、ポーリング制御部４８は、測定回数ｎを+１インクリメントして（Ｓ３０）、スリープ状態とする（Ｓ３２）。この後、ポーリング制御部４８は、予め定められたスリープ時間が経過すると、ステップＳ１２以降を実行する。この後、比較部４４が、ＲＳＳＩ値ＶＲｎが判定用閾値Ｔｈよりも大きいと判定するまで、ステップＳ１２からステップＳ３２までを繰り返す。
【００３７】
図３は、受信機１０による受信動作のタイミングチャートである。
【００３８】
図３に示すように、受信機１０が受信信号の搬送波を受信するまで、ＲＳＳＩ値の測定と、受信信号の有無の判定、及び、スリープ状態が繰り返される。受信機１０が、受信信号の搬送波を受信している状態で、ＲＳＳＩ値の測定がされると、その後の受信信号の搬送波ありと判定されるので、復号動作が実行される。
【００３９】
上述したように、受信機１０は、判定用閾値Ｔｈを固定するのではなく、第２レジスタ４０に格納された使用環境等に応じて変化するＲＳＳＩ値ＶＲによって判定用閾値Ｔｈを設定している。これにより、受信機１０は、使用環境等を考慮して最初から判定用閾値Ｔｈを大きくすることなく、小さい判定用閾値Ｔｈによって受信信号の搬送波の受信の有無を判定するので、ユーザーの負荷を増やすことなくサンプルのばらつき、使用環境、及び、雑音指数に因らない高い受信感度を安価に実現できる。
【００４０】
また、受信機１０は、１回目のＲＳＳＩ値測定では、１回目に測定されたＲＳＳＩ値ＶＲによって判定用閾値Ｔｈを設定して、当該判定用閾値Ｔｈと１回目のＲＳＳＩ値ＶＲにより受信信号の搬送波を受信しているか否かを判定している。これにより、受信機１０は、１回目のＲＳＳＩ値測定から受信感度を向上させることができる。
【００４１】
なお、この受信機１０は、受信信号が比較的短時間のバースト信号であり、連続受信動作中の温度および電源変動が無視できるようなアプリケーションに対して使用されるのに好適である。また、この受信機１０は、キーレスエントリーシステムのような、高い復調感度が要求される、ＡＳＫ（Amplitude Shift Keying）、及び、ＦＳＫ（Frequency Shift Keying）といった狭帯域のデジタル移動体通信用の受信システムとして好適である。
【００４２】
図４は、格納部を変更した受信機１１０の一例を示すブロック図である。図４に示すように、格納部１３７は、第３レジスタ１４１を更に備える。第３レジスタ１４１は、第２レジスタ４０に接続されている。第３レジスタ１４１は、第２レジスタ４０に格納されているＲＳＳＩ値ＶＲを格納する。
【００４３】
図５は、受信機１１０による受信動作のフローチャートである。上述した図２のフローチャートと異なるステップＳ１４からステップＳ２６の間以外の処理については説明を省略する。
【００４４】
図５に示すように、ステップＳ１４を実行した後、ポーリング制御部４８がＲＳＳＩ値の測定回数ｎが１回目と判定した場合（Ｓ１６：Ｙｅｓ）、最初の測定においては、ＲＳＳＩ値ＶＲが第１レジスタ３８、第２レジスタ４０、及び、第３レジスタ１４１のいずれにも格納されていない。従って、第１レジスタ３８、第２レジスタ４０、及び、第３レジスタ１４１は、今回測定した１回目のＲＳＳＩ値ＶＲをそれぞれが格納する（Ｓ１１８）。これにより、以前に測定したＲＳＳＩ値ＶＲがない１回目のＲＳＳＩ値測定の場合、第１レジスタ３８、第２レジスタ４０、及び、第３レジスタ１４１は、１回目のＲＳＳＩ値ＶＲを格納する。
【００４５】
一方、ポーリング制御部４８がＲＳＳＩ値の測定回数ｎが２回目と判定すると（Ｓ１６：Ｎｏ、Ｓ１１７：Ｙｅｓ）、第１レジスタ３８に格納されているｎ−１回目、即ち、１回目のＲＳＳＩ値ＶＲ１を第２レジスタ４０に格納する（Ｓ２０）。次に、第３レジスタ１４１は、第２レジスタ４０に格納されたｎ−１回目のＲＳＳＩ値ＶＲ１を移動させて格納する（Ｓ１２１）。第１レジスタ３８は、ｎ回目、即ち、２回目のＲＳＳＩ値ＶＲ２をＲＳＳＩ測定部３６から取得して格納する。これにより、２回前に測定したＲＳＳＩ値ＶＲ２がない２回目のＲＳＳＩ値測定の場合、第３レジスタ１４１及び第２レジスタ４０は、同じ１回目のＲＳＳＩ値ＶＲを格納する。
【００４６】
ポーリング制御部４８がＲＳＳＩ値の測定回数ｎが３回目以上と判定すると（Ｓ１６：Ｎｏ、Ｓ１１７：Ｎｏ）、第３レジスタ１４１は、第２レジスタ４０に格納されているｎ−２回目のＲＳＳＩ値ＶＲｎ−２を移動させて格納する（Ｓ１４０）。第２レジスタ４０は、第１レジスタ３８に格納されているｎ−１回目のＲＳＳＩ値ＶＲｎ−１を移動させて格納する（Ｓ１４２）。第１レジスタ３８は、ＲＳＳＩ測定部３６が測定したｎ回目のＲＳＳＩ値ＶＲｎを格納する（Ｓ１４４）。これにより、３回目以降のＲＳＳＩ値測定の場合、第１レジスタ３８は、ｎ回目のＲＳＳＩ値ＶＲｎを格納して、第２レジスタ４０は、ｎ回目のＲＳＳＩ値ＶＲｎ−１を格納して、第３レジスタ１４１は、ｎ回目のＲＳＳＩ値ＶＲｎ−２を格納する。
【００４７】
ステップＳ１１８、Ｓ２２、Ｓ１４４のいずれが処理されると、設定部４２は、第３レジスタ１４１に格納されたＲＳＳＩ値ＶＲに加算値を加算して、判定用閾値Ｔｈを設定する（Ｓ１２４）。この後、比較部４４が、第３レジスタ１４１に基づいて設定された判定用閾値Ｔｈによって受信信号の搬送波の有無を判定する（Ｓ２６）。
【００４８】
図６は、受信機１１０による受信動作のタイミングチャートである。図６に示すように、ｎ−１回目のＲＳＳＩ値ＶＲの測定中に受信信号の搬送波を受信している場合を想定する。
【００４９】
この場合、図２に示す受信機１０では、ｎ−１回目のＲＳＳＩ値ＶＲｎ−１の測定において、受信信号の搬送波を受信しているので、ＲＳＳＩ値ＶＲｎ−１が大きくなる。これにより、ＲＳＳＩ値ＶＲｎ−１に基づいて設定された判定用閾値Ｔｈが大きくなるので、ｎ回目の測定によるＲＳＳＩ値ＶＲｎによる受信判定では、比較部４４は、搬送波を受信していないと判定する可能性が高い。
【００５０】
一方、図４に示す受信機１１０では、図６に示すように、第３レジスタ１４１が格納しているｎ−２回目に測定したＲＳＳＩ値ＶＲｎ−２に基づいて、設定部４２が判定用閾値Ｔｈを設定する。ここで、ＲＳＳＩ値ＶＲｎ−２は、ｎ−２回目の測定動作時には受信信号は存在していないので、ｎ−２回目に測定されたＲＳＳＩ値ＶＲｎ−２は、受信信号の搬送波の影響を受けず、受信していない状態のＡＤ変換器３０、３２の出力、即ちノイズフロアのレベルとなる。従って、搬送波が受信されていない状態のＲＳＳＩ値ＶＲｎ−２から判定用閾値Ｔｈを設定するので、判定用閾値Ｔｈは、ｎ−１回目の測定で受信した受信信号の影響を受けず、不適切に大きくならない。これにより、比較部４４はｎ回目の測定によるＲＳＳＩ値ＶＲｎを、ＲＳＳＩ値ＶＲｎ−２に基づいて設定された当該判定用閾値Ｔｈと比較することによって、ｎ−１回目の測定時の受信信号の影響を受けることなく、受信信号の搬送波の有無の判定をすることができる。これにより、受信機１１０は、受信感度を改善することができる。
【００５１】
上述した実施形態における各構成の機能、接続関係、個数等の数値は適宜変更してよい。例えば、上述の実施形態では、２個または３個のレジスタを設ける例を上げたが、４個以上のレジスタを設けてもよい。また、設定部４２は、前回または前々回のＲＳＳＩ値によって判定用閾値Ｔｈを設定する例を示したが、前回以前の、例えば、３回以上前のＲＳＳＩ値によって判定用閾値Ｔｈを設定してもよい。
【００５２】
上述の実施形態では、ダウンコンバージョン式の受信機１０、１１０を例に説明したが、スーパーヘテロダイン式の受信機であってもよい。スーパーヘテロダイン式の受信機の場合、ＤＣ近傍にダウンコンバートするＣＯＲＤＩＣ３４に代えて、ＩＦ（Intermediate Frequency）信号にダウンコンバートするデータ復調部が適用される。
【００５３】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【００５４】
特許請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」等を用いて説明したとしても、この順で実施することが必須であることを意味するものではない。
【符号の説明】
【００５５】
１０  受信機
１２  アンテナ
１４  表面弾性波フィルタ
１６  低雑音増幅器
１８  高周波増幅器
２０  局部発振器
２２  ミキサー
２４  ミキサー
２６  ローパスフィルタ
２８  ローパスフィルタ
３０  ＡＤ変換器
３２  ＡＤ変換器
３４  ＣＯＲＤＩＣ
３６  ＲＳＳＩ測定部
３７  格納部
３８  第１レジスタ
４０  第２レジスタ
４２  設定部
４４  比較部
４６  復号器
４８  ポーリング制御部
１１０  受信機
１３７  格納部
１４１  第３レジスタ
【図１】
2015012381.tif 000003
【図２】
2015012381.tif 000004
【図３】
2015012381.tif 000005
【図４】
2015012381.tif 000006
【図５】
2015012381.tif 000007
【図６】
2015012381.tif 000008